(57)【要約】  任意の既知のタイプの暖房、換気、空調、および冷凍ＨＶＡＣＲシステム（ＨＶＡＣＲシステムは参照番号（１０１）によって表記されている）を動作させることが可能な単一モジュール最適化コントローラ（１００）が本明細書に記載されている。ＨＶＡＣＲシステム（１０１）は空調ユニットの形態を取る。コントローラは、ウェブアプリケーション（１０３）の形態の１つまたは複数のリモートコントローラ端末と通信するための通信セクション（１０２）と、制御セクション（１０４）とを含む。ＨＶＡＣＲシステム（１０１）の空調ユニットは、圧縮機を有する少なくとも１つの冷却ユニットを含み、制御セクションは、通信セクション（１０２）を介してウェブアプリケーション（１０３）から受信された１つまたは複数の設定に基づいて、少なくとも１つの冷却ユニットを選択的に作動または停止させるために、ＨＶＡＣＲシステム（１０１）と動作可能に関連付けられる。
2019518192.tif 000002
【特許請求の範囲】
【請求項１】
少なくとも１つの冷却ユニットを含む、複数の様々なタイプの暖房、換気、空調、および冷凍（ＨＶＡＣＲ）システムのうちのいずれか１つを動作させることが可能な単一ユニット最適化コントローラであって、前記コントローラが、
１つまたは複数のリモートコントローラ端末と通信するための通信セクションと、
前記通信セクションを介して前記リモートコントローラ端末から受信された１つまたは複数の設定に基づいて、前記少なくとも１つの冷却ユニットを選択的に作動または停止させるために、前記１つのＨＶＡＣＲシステムと動作可能に関連付けられた制御セクションと
を含む、最適化コントローラ。
【請求項２】
前記ＨＶＡＣＲシステムが、冷却コイルを通る水循環を有する冷却水システムと、前記冷却コイルにわたって空気を誘導するためのファンとを含み、前記制御セクションが、循環流量およびファン速度のうちの１つまたは複数を選択的に制御する、請求項１に記載の最適化コントローラ。
【請求項３】
前記ＨＶＡＣＲシステムが、前記ＨＶＡＣＲシステムの出力を検知するための少なくとも１つのセンサを含み、前記コントローラが前記少なくとも１つのセンサに応答し、その結果、前記少なくとも１つの冷却ユニットを前記選択的に作動または停止させることが、前記少なくとも１つのセンサによって影響される、請求項２に記載の最適化コントローラ。
【請求項４】
前記少なくとも１つのセンサが前記制御セクションに接続される、請求項３に記載の最適化コントローラ。
【請求項５】
前記少なくとも１つのセンサが、システム電流を測定し、制御、測定、およびシステムの機能性、ならびに動作および警報目的のための変流器を含む、請求項３または請求項４に記載の最適化コントローラ。
【請求項６】
前記少なくとも１つのセンサが、前記システムの温度を測定するための温度センサを含む、請求項３または請求項４に記載の最適化コントローラ。
【請求項７】
前記少なくとも１つのセンサが、前記ＨＶＡＣＲシステムのフィルタおよび／または前記冷却コイルにわたる圧力降下を測定するための圧力センサを含む、請求項３から６のいずれか一項に記載の最適化コントローラ。
【請求項８】
前記少なくとも１つのセンサが、前記冷却水システムを通る水流量を測定するための流量センサを含む、請求項３から７のいずれか一項に記載の最適化コントローラ。
【請求項９】
前記少なくとも１つのセンサが、前記システムの湿度を測定するための湿度センサを含む、請求項３から８のいずれか一項に記載の最適化コントローラ。
【請求項１０】
前記ＨＶＡＣＲシステムが、各々が前記ＨＶＡＣＲシステムの独自の出力を検知するための複数のセンサを含み、前記コントローラが前記センサに応答し、その結果、前記少なくとも１つの冷却ユニットを前記選択的に作動または停止させることが、前記複数のセンサのうちの１つまたは複数によって影響される、請求項１から９のいずれか一項に記載の最適化コントローラ。
【請求項１１】
前記複数のセンサが温度センサを含む、請求項１０に記載の最適化コントローラ。
【請求項１２】
前記複数のセンサが圧力センサを含む、請求項１０または請求項１１に記載の最適化コントローラ。
【請求項１３】
前記複数のセンサが流量センサを含む、請求項１０から１２のいずれか一項に記載の最適化コントローラ。
【請求項１４】
前記複数のセンサが、水冷却塔および／または前記ＨＶＡＣＲシステムの水回路におけるバイオフィルムの成長を検知するためのバイオフィルム成長センサを含む、請求項１０から１３のいずれか一項に記載の最適化コントローラ。
【請求項１５】
前記通信セクションが、前記１つまたは複数のリモートコントローラ端末への外部接続を可能にするための少なくとも１つの通信ポートを含む、請求項１から１４のいずれか一項に記載の最適化コントローラ。
【請求項１６】
前記１つまたは複数のリモートコントローラ端末が、複数の様々なタイプのＨＶＡＣＲシステムのうちの前記いずれか１つを動作させて、前記コントローラおよびシステムの所望の機能を有効にするように構成可能な制御ソフトウェアを実行することが可能なコンピュータである、請求項１５に記載の最適化コントローラ。
【請求項１７】
前記制御ソフトウェアがウェブアプリケーションを含む、請求項１６に記載の最適化コントローラ。
【請求項１８】
前記ウェブアプリケーションがエンドユーザインターフェースを含む、請求項１７に記載の最適化コントローラ。
【請求項１９】
前記ウェブアプリケーションが技術者インターフェースを含む、請求項１７または請求項１８に記載の最適化コントローラ。
【請求項２０】
前記通信セクションが、前記コントローラからの動作データを受信し記憶するためのストレージデータベースを含む、請求項１７に記載の最適化コントローラ。
【請求項２１】
前記動作データが、前記ウェブアプリケーションを介してアクセス可能である、請求項２０に記載の最適化コントローラ。
【請求項２２】
前記制御セクションが少なくとも１つのＩ／Ｏポイントを含む、請求項１から２１のいずれか一項に記載の最適化コントローラ。
【請求項２３】
前記制御セクションが最大８個のＩ／Ｏポイントを含む、請求項２２に記載の最適化コントローラ。
【請求項２４】
前記制御セクションが最大３２個のＩ／Ｏポイントを含む、請求項２３に記載の最適化コントローラ。
【請求項２５】
前記様々なタイプのＨＶＡＣＲシステムが、単一の圧縮機、複数の圧縮機、空調システム用の冷凍機、冷凍システム用の冷凍機、インバータシステム、および可変冷媒流量（ＶＲＦ）システムを含むグループのうちの１つまたは複数を含む、請求項１６から２４のいずれか一項に記載の最適化コントローラ。
【請求項２６】
前記コントローラが約８０ｍｍ×８０ｍｍの設置面積を有する、請求項１から２５のい
ずれか一項に記載の最適化コントローラ。
【請求項２７】
前記ＨＶＡＣＲシステムが複数の冷却ユニットを含み、前記コントローラがこれらの冷却ユニットの各々を同時に制御することができる、請求項１から２６のいずれか一項に記載の最適化コントローラ。
【請求項２８】
前記複数の冷却ユニットのうちの少なくとも１つが、前記冷却ユニットのうちの少なくとも１つの他のユニットとは異なるタイプのユニットである、請求項２７に記載の最適化コントローラ。
【請求項２９】
請求項１から２８のいずれか一項に記載の最適化コントローラと、
前記コントローラと動作可能に関連付けられた少なくとも１つの冷却ユニットと
を含む、ＨＶＡＣＲシステム。
【請求項３０】
リモートコントローラ端末に外部接続を提供するステップと、
前記リモートコントローラ端末を介して、前記少なくとも１つの冷却ユニットを最適に動作させるように前記コントローラを構成するステップと
を含む、請求項２９に記載のＨＶＡＣＲシステムを制御するための方法。
【請求項３１】
少なくとも１つの蒸発器コイルを有するＨＶＡＣＲシステムのエネルギー使用量を削減するための方法であって、
前記ＨＶＡＣＲシステムの機能を制御するための請求項１から２８のいずれか一項に記載の最適化コントローラを提供するステップと、
前記少なくとも１つの蒸発器コイルにコイル処理を提供するステップであって、その結果、前記コイル処理とともに前記コントローラを使用すると、前記ＨＶＡＣＲシステムの前記エネルギー使用量が１５％以上削減される、ステップと
を含む、方法。
【請求項３２】
前記コイル処理とともに前記コントローラを使用すると、前記ＨＶＡＣＲシステムの前記エネルギー使用量が１８％以上削減される、請求項３１に記載の方法。
【請求項３３】
前記コイル処理とともに前記コントローラを使用すると、前記ＨＶＡＣＲシステムの前記エネルギー使用量が２０％以上削減される、請求項３２に記載の方法。
【請求項３４】
前記コイル処理が、
ｉ）洗浄されたコイルを提供するために前記コイルを酵素洗浄溶液と接触させることを備える第１の酵素洗浄ステップ、および
ｉｉ）前記洗浄されたコイルを生物静止性重合体コーティングで被覆することを備える第２のステップ
を含む、請求項３１に記載の方法。
【請求項３５】
前記酵素洗浄溶液が、プロテアーゼ、アミラーゼ、セルラーゼ、またはリパーゼのうちの１つまたは複数を備える、請求項３４に記載の方法。
【請求項３６】
前記酵素洗浄溶液が、プロテアーゼおよび生体静力学的に有効なフェノキシアルコールを備える、請求項３４に記載の方法。
【請求項３７】
前記酵素洗浄溶液が、プロテアーゼ、水溶性グリコールエーテル溶媒、およびアルカリ金属アルキルアリールスルホン酸塩などの少なくとも１つのアニオン性ヒドロトロープを備える、請求項３４に記載の方法。
【請求項３８】
前記酵素洗浄溶液が、１つまたは複数の酵素（たとえば、プロテアーゼおよびアミラーゼ）、殺生物性第４級アンモニウム殺生物剤、ならびにアニオン性ヒドロトロープを備える、請求項３４に記載の方法。
【請求項３９】
前記生物静止性フィルムが、アクリルコポリマーベースの組成物、メタクリルコポリマーベースの組成物、ビニルコポリマーベースの組成物、エポキシ樹脂、エポキシエステル、およびそれらの混合物などの、フェノール系殺生物剤およびポリビニルピロリドンまたはポリビニルピロリドンのポリマーもしくはコポリマーを備える、請求項３４から３８のいずれか一項に記載の方法。
【請求項４０】
前記生物静止性フィルムが、トリクロサンと錯体を形成したポリビニルピロリドン／ポリビニルアセテートのコポリマーを備える、請求項３４から３８のいずれか一項に記載の方法。
【請求項４１】
前記生物静止性フィルムが、第４級アンモニウム殺生物剤およびポリビニルアルコールなどの相溶性ポリマー、または第４級アンモニウム殺生物剤と錯体を形成した無水マレイン酸／アルキルビニルエーテルコポリマーの半エステルを備える、請求項３４から３８のいずれか一項に記載の方法。
【請求項４２】
少なくとも１つの冷却ユニットを含む少なくとも１つのＨＶＡＣＲシステムと、
１つまたは複数のリモートコントローラ端末と通信するための通信セクション、および
前記通信セクションを介して前記リモートコントローラ端末から受信された１つまたは複数の設定に基づいて、前記少なくとも１つの冷却ユニットを選択的に作動または停止させるために、前記１つのＨＶＡＣＲシステムと動作可能に関連付けられた制御セクション
を有する、最適化コントローラと
を含む、システム。
【発明の詳細な説明】
【技術分野】
【０００１】
本発明は、暖房、換気、空調、および冷凍（「ＨＶＡＣＲ」）システム用のコントローラおよびコントローラの最適化に関する。ＨＶＡＣＲコントローラを特に参照していくつかの実施形態が本明細書に記載されるが、本発明はそのような使用分野に限定されず、他の状況、たとえば冷凍システムまたは冷蔵室システムの機能の制御、ならびにサードパーティのＨＶＡＣＲシステムおよび非ＨＶＡＣＲシステムからのデータの収集およびエクスポートに適用可能である。
【背景技術】
【０００２】
本明細書全体を通して背景技術のいかなる説明も、そのような技術が広く知られているか、または当分野における共通一般知識の一部を形成することを認めるものと決して考えられるべきではない。
【０００３】
大まかに、ＨＶＡＣＲシステムは、空間（たとえば、オフィスビル、工場、車両、ショッピングセンター、冷蔵室および冷凍室、冷凍輸送コンテナまたは冷凍車両）における快適性の提供をそれらの目標として有する。
【０００４】
環境制御、より具体的に空調は、現在、ほとんどの屋内環境、特に商業施設および工業施設において事実上必要になっている。作業環境内の適合温度を維持するために空調を使用すると、その環境内の生産性をしばしば増加させることができる。したがって、暖房、換気、および空調（ＨＶＡＣ）システムの製造および実装は、十分に確立された産業である。
【０００５】
空調システムには、ＤＸ（冷媒の直接膨張）システムまたは冷却水システムという２つの主要な形態がある。
【０００６】
ＤＸシステム、ＤＸ空調、または冷凍ユニットの大空間用ケータリングは、図４の数字４００によって参照される回路などの回路を備える。回路４００は、冷媒ガスを高圧および高温に送り出す圧縮機４を備える。圧縮機４から冷媒は（凝縮コイルまたは凝縮器と呼ばれる）熱交換器１に流入し、そこで熱エネルギーを外部に失い、冷却され、その液相に凝縮する。膨張弁２は、冷媒ガスを適切な速度で流れるように調節し、低圧への膨張によって冷媒ガスを冷却させる。液体冷媒は、冷媒が空気からのエネルギー（熱）を吸収し、次いでサイクルが繰り返されるために圧縮機に冷媒を戻す（蒸発コイルまたは蒸発器と呼ばれる）別の熱交換器３に戻される。空調または冷蔵されている空間から空気を吸い込み、熱交換器３の上にその空気を吹きつける様々な空気循環システム、または屋外領域から空気を吸い込み、熱交換器１の上にその空気を吹きつけるシステムが、図４には示されていない。システムのこれらの空気流部分は、熱交換面上の循環を生成するためにファンを必要とし、空気の質を維持するために１つまたは複数のダストフィルタを必要とする。
【０００７】
冷却水システムも当該技術分野においてよく知られている。これらのシステムは多くの部品を含み、主要な機械は、様々なタイプの建築物の負荷および用途のための様々なタイプの圧縮機を備えることができる、冷凍機である。
【０００８】
既知の圧縮機には、
・往復圧縮機を有する冷凍機、
・スクロール圧縮機を有する冷凍機、
・（可変速度駆動の有無にかかわらず）スクリュー圧縮機を有する冷凍機、
・（可変速度駆動の有無にかかわらず）遠心圧縮機、
・ターボコア圧縮機を有する冷凍機
が含まれる。
【０００９】
冷凍機は本質的には非常に大きいＤＸシステムであるが、冷たい冷媒を生成して蒸発器システムに行き渡らせる代わりに、ポンプシステムを介して、領域全体に網状にされた空気ダクト工事に接続されたファン付きチャンバ内のコイルに、全体的に５℃〜９℃の範囲の冷却水を生成する。この水は、次いで、冷凍機に戻って再冷却される。ＤＸシステムのように、冷凍容器内の冷媒は冷却される必要がある。これは、冷凍機からの冷媒を同様の空冷凝縮器に通すことにより、または冷凍機内の暖かい冷媒管を介して水を通すことによって行われ、この水は蒸発水冷却塔を通すことによって冷却される。
【００１０】
現在、空調ユニット（ＤＸまたは冷却水）は、システムの機能を制御するためにコントローラを必要とする。コントローラは、関連する空域内の温度センサに応答して、固定速度システムの場合はエアコンを単にオンオフにするか、または可変速度の場合は圧縮機の速度を変化させる。これは、次に、冷却されるべき空間の温度に応じて、事前設定された温度と比較して、内部温度負荷要件に対して圧縮機の能力を変更する。
【００１１】
そのようなコントローラは、冷却装置の特定のブランドおよびモデルを制御するように作られており、そのため、各々がその特定の装置とともに使用するように制限されている。これらのコントローラは、所定の温度に手動設定され、すなわち、所望の温度が選択され、コントローラは、次いで、空調ユニットを制御することを任される。そのような既知のコントローラは、基本的な制御機能を調節するだけであり、製造業者は、システムが事前設定された所望の温度を達成することを可能にするほぼ同一の機能を適用する。これらのコントローラの最終的な目的は、選択された温度に部屋または特定の空間を維持することである。たとえば、この温度が２２°Ｃである場合、コントローラは、部屋が２２．５°Ｃのとき圧縮機をオンにし、２１．５°Ｃで圧縮機をオフにして平均２２°Ｃを提供するか、または圧縮機の速度を変え、システムは同様の動作帯域内で動作する。
【００１２】
このように、ＨＡＶＣシステムコントローラ内のファームウェア、ハードウェア、およびソフトウェアは、それらの機能に関して非常に単純であり、システム間の互換性に関して非常に限定されている。
【００１３】
最近では、環境上の利益とコスト節約の両方の認識のために、エネルギー節約に関心が集まっている。これは、ＨＶＡＣコントローラの開発者によって部分的に考慮されている。しかしながら、圧縮機最適化の考えは、これまで広く研究および開発されていない。それが考慮された数少ないケースでは、既存の最適化機能は圧縮機の電力消費量のみを測定し、たとえば、圧縮機運転のオン期間およびオフ期間の持続時間を変更することにより、エネルギー効率を最適化しようと試みた。これらのシステムの大部分は、圧縮機の平均エネルギー使用量（ｋＷｈ）のみを削減し、ピーク需要には効果がない。大部分の個々の空調および冷凍（ＡＣＲ）システム、ならびに当然今日の非ＡＣＲシステムおよび構成要素は、ビル管理システム、ＢＭＳなどのシステムがシステムまたはその構成要素にインターフェース接続し、システムまたはその部品に関する情報を収集し、システムまたは部品内のパラメータを変更することも可能にする通信ポートを有する。しかしながら、ＡＣＲシステムについては、これらの制御システムの目的は、全体としてシステムのエネルギー消費を最適化することではなく、必要な温度設定点および温度動作範囲内でシステムを動作させることである。
【００１４】
これらのコントローラには、以下のような多くの異なる形態がある。
・電気機械
・電子、たとえば
○スタンドアロン
○ネットワーク化
○一体化
○モノのインターネット（ｌｏＴ）
○ウェブベース
・プログラマブルロジックコントロール（ＰＬＣ）
・ビル管理システム（ＢＭＳ）
【００１５】
ＨＶＡＣおよび冷凍コントローラの業界には、現在のコントローラによってもたらされる電力節約が、それらの省電力効率に関して改善することが困難であるか、または不可能でさえあるという考え方がある。達成された節電が比較的小さく、研究開発費に見合うものではないという認識から、それは、改善することができないか、少なくとも改善する価値がないという許容レベルであるという認識がある。
【００１６】
本発明者らは、圧縮機のオン／オフを切り替えるだけでなく、以下の変数：冷媒の循環速度、冷凍機を通る水の流量、凝縮器コイルにわたる空気流量（ファン速度）、蒸発器コイルにわたる空気流量、冷媒温度、冷媒圧力、フィルタにわたる圧力降下など、ならびに圧縮機が作動または停止されるターンオン温度およびターンオフ温度のうちの１つまたは複数を同時に制御するコントローラを使用することにより、エネルギー効率の驚くべき改善を取得し、空調された快適性を失うことなく電気消費量を著しく削減することが可能であることを見出した。
【００１７】
発明者らはまた、水ベースの冷却または冷凍システムのエネルギー効率を最適化しようとするときに直面する１つの具体的な課題が、機器表面上の冷却水およびバイオフィルムの形成における生物学的負荷を絶えず変えていることであることを見出した。
【００１８】
空調および冷凍冷却コイルは、冷却されコイルを通らされる空気からの水の凝縮のために常に濡れている表面を表す。絶えず濡れているすべての表面はバイオフィルムを成長させる。バイオフィルムは、様々な有機体によって栄養分が共有される共生コロニー内の基板表面上に増殖する、様々な細菌および真菌による基板のコロニー形成である。
【００１９】
バイオフィルムは、３つの主な理由により、冷却コイルの長期的で効果的で効率的な動作に著しく有害である。
【００２０】
第１に、バイオフィルムは、熱交換面と冷却されている空気との間の優れた絶縁体であり、したがって、コイルの熱交換効率を著しく低下させる。この効率の低下は、バイオフィルムが厚くなるにつれて増大する。
【００２１】
第２に、すべての有機体に関して、バイオフィルム内の細胞は酸性である廃棄物を滲出し、これらは未陽極酸化アルミニウム熱交換面の漸進的腐食を引き起こす。
【００２２】
第３に、バイオフィルムの成長に伴って隣接する冷却フィン間のギャップが減少するにつれて、ファンの設定速度でコイルを通過する空気が少なくなるか、または可変速ファンの場合には、ファンははるかに懸命に働かなければならず、したがって、必要な設定点温度を達成するために著しく多い電力を消費する。
【発明の概要】
【発明が解決しようとする課題】
【００２３】
これら３つの要因はすべて、冷却装置のエネルギー効率の向上に対する重大な課題を提示する。
【課題を解決するための手段】
【００２４】
本発明の第１の態様によれば、複数の様々なタイプの暖房、換気、空調、および冷凍（ＨＶＡＣＲ）システムのうちのいずれか１つを動作させることが可能な単一モジュール最適化コントローラが提供され、前記システムは少なくとも１つの冷却ユニットを含み、前記コントローラは、
１つまたは複数のリモートコントローラ端末と通信するための通信セクションと、
通信セクションを介してリモートコントローラ端末から受信された１つまたは複数の設定に基づいて、少なくとも１つの冷却ユニットを選択的に作動または停止させるために、１つのＨＶＡＣＲシステムと動作可能に関連付けられた制御セクションと
を含む。
【００２５】
一実施形態では、ＨＶＡＣＲシステムは、冷却コイルを通る水循環を有する冷却水システムと、冷却コイルにわたって空気を誘導するためのファンとを含み、制御セクションは、コイルを通る水循環流量、およびコイルを通る指定された空気流量を制御するファン速度のうちの１つまたは複数を選択的に制御する。
【００２６】
一実施形態では、ＨＶＡＣＲシステムは、ＨＶＡＣＲシステムの出力を検知するための少なくとも１つのセンサを含み、コントローラは少なくとも１つのセンサに応答し、その結果、少なくとも１つの冷却ユニットを選択的に作動または停止させることは、少なくとも１つのセンサによって影響される。一実施形態では、少なくとも１つのセンサは制御セクションに接続される。一実施形態では、少なくとも１つのセンサは、システム電流を測定し、制御、測定、およびシステムの機能性、ならびに動作および警報目的のための変流器を含む。一実施形態では、少なくとも１つのセンサは、システム空間または環境の温度を測定するための温度センサを含む。一実施形態では、少なくとも１つのセンサは、ＨＶＡＣＲシステムのフィルタおよび／または冷却コイルにわたる圧力降下を測定するための圧力センサを含む。一実施形態では、少なくとも１つのセンサは、冷却水システムを通る水流量を測定するための流量センサを含む。一実施形態では、少なくとも１つのセンサは、空気湿度を測定するための湿度センサを含む。
【００２７】
別の実施形態では、ＨＶＡＣＲシステムは、各々がＨＶＡＣＲシステムの独自の出力または入力を検知するための複数のセンサを含み、コントローラはセンサに応答し、その結果、少なくとも１つの冷却ユニットを選択的に作動または停止させることは、複数のセンサのうちの１つまたは複数によって影響される。一実施形態では、複数のセンサは温度センサを含む。一実施形態では、複数のセンサは圧力センサを含む。一実施形態では、複数のセンサは流量センサを含む。一実施形態では、複数のセンサは、水冷却塔および／またはＨＶＡＣＲシステムの水回路におけるバイオフィルムの成長を検知するためのバイオフィルム成長センサを含む。
【００２８】
一実施形態では、通信セクションは、１つまたは複数のリモートコントローラ端末への外部接続を可能にするための少なくとも１つの通信ポートを含む。一実施形態では、リモートユーザ端末は、複数の様々なタイプのＨＶＡＣＲシステムのうちのいずれか１つを動作させて、コントローラおよびシステムの所望の機能を有効にするように構成可能な制御ソフトウェアを実行することが可能なコンピュータである。一実施形態では、制御ソフトウェアはウェブアプリケーションを含む。一実施形態では、ウェブアプリケーションはエンドユーザインターフェースを含む。一実施形態では、ウェブアプリケーションは技術者インターフェースを含む。一実施形態では、通信セクションは、コントローラからの動作データを受信し記憶するためのストレージデータベースを含む。一実施形態では、動作デ
ータはウェブアプリケーションを介してアクセス可能である。
【００２９】
別の実施形態では、制御セクションは少なくとも１つのＩ／Ｏポイントを含む。さらなる実施形態では、制御セクションは最大８個のＩ／Ｏポイントを含む。その上さらなる実施形態では、制御セクションは最大３２個のユニバーサルＩ／Ｏポイントを含む。
【００３０】
一実施形態では、様々なタイプのＨＶＡＣＲシステムは、単一の圧縮機、複数の圧縮機、空調システム用の冷凍機、冷凍システム用の冷凍機、インバータシステム、および可変冷媒流量（ＶＲＦ）システムを含むグループのうちの１つまたは複数を含む。
【００３１】
一実施形態では、コントローラは約１２０ｍｍ×１２０ｍｍの設置面積を有する。一実施形態では、コントローラは約１００ｍｍ×１００ｍｍの設置面積を有する。一実施形態では、コントローラは約８０ｍｍ×８０ｍｍの設置面積を有する。
【００３２】
一実施形態では、ＨＶＡＣＲシステムは複数の冷却ユニットを含み、コントローラはこれらの冷却ユニットの各々を同時に制御することができる。
【００３３】
一実施形態では、複数の冷却ユニットのうちの少なくとも１つは、冷却ユニットのうちの少なくとも１つの他の冷却ユニットとは異なるタイプのユニットである。
【００３４】
本発明の第２の態様によれば、
第１の態様による最適化コントローラと、
コントローラと動作可能に関連付けられた少なくとも１つの冷却ユニットと
を含む、ＨＶＡＣＲシステムが提供される。
【００３５】
一実施形態では、少なくとも１つの冷却ユニットは、冷却コイルを通る水循環を有する冷却水システムと、冷却コイルにわたって空気を誘導するためのファンとの形態を取り、制御セクションは、コイルを通る水循環流量、およびコイルを通る指定された空気流量を制御するファン速度のうちの１つまたは複数を選択的に制御する。
【００３６】
一実施形態では、ＨＶＡＣＲシステムは、ＨＶＡＣＲシステムの出力を検知するための少なくとも１つのセンサを含み、コントローラは少なくとも１つのセンサに応答し、その結果、少なくとも１つの冷却ユニットを選択的に作動または停止させることは、少なくとも１つのセンサによって影響される。一実施形態では、少なくとも１つのセンサは制御セクションに接続される。一実施形態では、少なくとも１つのセンサは、システム電流を測定し、制御、測定、およびシステムの機能性、ならびに動作および警報目的のための変流器を含む。一実施形態では、少なくとも１つのセンサは、システム空間または環境の温度を測定するための温度センサを含む。一実施形態では、少なくとも１つのセンサは、ＨＶＡＣＲシステムのフィルタおよび／または冷却コイルにわたる圧力降下を測定するための圧力センサを含む。一実施形態では、少なくとも１つのセンサは、冷却水システムを通る水流量を測定するための流量センサを含む。一実施形態では、少なくとも１つのセンサは、空気湿度を測定するための湿度センサを含む。
【００３７】
別の実施形態では、ＨＶＡＣＲシステムは、各々がＨＶＡＣＲシステムの独自の出力または入力を検知するための複数のセンサを含み、コントローラはセンサに応答し、その結果、少なくとも１つの冷却ユニットを選択的に作動または停止させることは、複数のセンサのうちの１つまたは複数によって影響される。一実施形態では、複数のセンサは温度センサを含む。一実施形態では、複数のセンサは圧力センサを含む。一実施形態では、複数のセンサは流量センサを含む。一実施形態では、複数のセンサは、水冷却塔および／または少なくとも１つの冷却ユニットの水回路におけるバイオフィルムの成長を検知するため
のバイオフィルム成長センサを含む。
【００３８】
一実施形態では、通信セクションは、１つまたは複数のリモートコントローラ端末への外部接続を可能にするための少なくとも１つの通信ポートを含む。一実施形態では、リモートユーザ端末は、複数の様々なタイプのＨＶＡＣＲシステムのうちのいずれか１つを動作させて、コントローラおよびシステムの所望の機能を有効にするように構成可能な制御ソフトウェアを実行することが可能なコンピュータである。一実施形態では、制御ソフトウェアはウェブアプリケーションを含む。一実施形態では、ウェブアプリケーションはエンドユーザインターフェースを含む。一実施形態では、ウェブアプリケーションは技術者インターフェースを含む。一実施形態では、通信セクションは、コントローラからの動作データを受信し記憶するためのストレージデータベースを含む。一実施形態では、動作データはウェブアプリケーションを介してアクセス可能である。
【００３９】
別の実施形態では、制御セクションは少なくとも１つのＩ／Ｏポイントを含む。さらなる実施形態では、制御セクションは最大８個のＩ／Ｏポイントを含む。その上さらなる実施形態では、制御セクションは最大３２個のユニバーサルＩ／Ｏポイントを含む。
【００４０】
一実施形態では、様々なタイプのＨＶＡＣＲシステムは、単一の圧縮機、複数の圧縮機、空調システム用の冷凍機、冷凍システム用の冷凍機、インバータシステム、および可変冷媒流量（ＶＲＦ）システムを含むグループのうちの１つまたは複数を含む。
【００４１】
一実施形態では、コントローラは約１２０ｍｍ×１２０ｍｍの設置面積を有する。一実施形態では、コントローラは約１００ｍｍ×１００ｍｍの設置面積を有する。一実施形態では、コントローラは約８０ｍｍ×８０ｍｍの設置面積を有する。
【００４２】
一実施形態では、ＨＶＡＣＲシステムは複数の冷却ユニットを含み、コントローラはこれらの冷却ユニットの各々を同時に制御することができる。
【００４３】
一実施形態では、複数の冷却ユニットのうちの少なくとも１つは、冷却ユニットのうちの少なくとも１つの他のユニットとは異なるタイプのユニットである。
【００４４】
本発明の第３の態様によれば、
リモートコントローラ端末に外部接続を提供するステップと、
リモートコントローラ端末を介して、少なくとも１つの冷却ユニットを最適に動作させるようにコントローラを構成するステップと
を含む、第２の態様によるＨＶＡＣＲシステムを制御するための方法が提供される。
【００４５】
本発明の第４の態様によれば、
ＨＶＡＣＲシステムの機能を制御するための第１の態様による最適化コントローラを提供するステップと、
少なくとも１つの蒸発器コイルにコイル処理を提供するステップであって、その結果、コイル処理とともにコントローラを使用すると、ＨＶＡＣＲシステムのエネルギー使用量が１５％以上削減される、ステップと
を含む、少なくとも１つの蒸発器コイルを有するＨＶＡＣＲシステムのエネルギー使用量を削減するための方法が提供される。
【００４６】
一実施形態では、コイル処理とともにコントローラを使用すると、ＨＶＡＣＲシステムのエネルギー使用量が１８％以上削減される。
【００４７】
一実施形態では、コイル処理とともにコントローラを使用すると、ＨＶＡＣＲシステム
のエネルギー使用量が２０％以上削減される。
【００４８】
一実施形態では、コイル処理は、
ｉ）洗浄されたコイルを提供するためにコイルを酵素洗浄溶液と接触させることを備える第１の酵素洗浄ステップ、および
ｉｉ）洗浄されたコイルを生物静止性重合体コーティングで被覆することを備える第２のステップ
を含む。
【００４９】
一実施形態では、酵素洗浄溶液は、プロテアーゼ、アミラーゼ、セルラーゼ、またはリパーゼのうちの１つまたは複数を備える。別の実施形態では、酵素洗浄溶液は、プロテアーゼおよび生物静力学的に有効なフェノキシアルコールを備える。さらに別の実施形態では、酵素洗浄溶液は、プロテアーゼ、水溶性グリコールエーテル溶媒、およびアルカリ金属アルキルアリールスルホン酸塩などの少なくとも１つのアニオン性ヒドロトロープを備える。さらに別の実施形態では、酵素洗浄溶液は、１つまたは複数の酵素（たとえば、プロテアーゼおよびアミラーゼ）、殺生物性第４級アンモニウム殺生物剤、ならびにアニオン性ヒドロトロープを備える。
【００５０】
一実施形態では、生物静止性フィルムは、アクリルコポリマーベースの組成物、メタクリルコポリマーベースの組成物、ビニルコポリマーベースの組成物、エポキシ樹脂、エポキシエステル、およびそれらの混合物などの、フェノール系殺生物剤およびポリビニルピロリドンまたはポリビニルピロリドンのポリマーもしくはコポリマーを備える。
【００５１】
一実施形態では、生物静止性フィルムは、トリクロサンと錯体を形成したポリビニルピロリドン／ポリビニルアセテートのコポリマーを備える。
【００５２】
一実施形態では、生物静止性フィルムは、第４級アンモニウム殺生物剤およびポリビニルアルコールなどの相溶性ポリマー、または第４級アンモニウム殺生物剤と錯体を形成した無水マレイン酸／アルキルビニルエーテルコポリマーの半エステルを備える。
【００５３】
本発明の第５の態様によれば、
少なくとも１つの冷却ユニットを含む少なくとも１つのＨＶＡＣＲシステムと、
１つまたは複数のリモートコントローラ端末と通信するための通信セクション、および
通信セクションを介してリモートコントローラ端末から受信された１つまたは複数の設定に基づいて、少なくとも１つの冷却ユニットを選択的に作動または停止させるために、１つのＨＶＡＣＲシステムと動作可能に関連付けられた制御セクション
を有する、最適化コントローラと
を含む、システムが提供される。
【００５４】
一実施形態では、少なくとも１つの冷却ユニットは、冷却コイルを通る水循環を有する冷却水システムと、冷却コイルにわたって空気を誘導するためのファンとの形態を取り、制御セクションは、コイルを通る水循環流量、およびコイルを通る指定された空気流量を制御するファン速度のうちの１つまたは複数を選択的に制御する。
【００５５】
一実施形態では、システムは、少なくとも１つのＨＶＡＣＲシステムの出力を検知するための少なくとも１つのセンサを含み、コントローラは少なくとも１つのセンサに応答し、その結果、少なくとも１つの冷却ユニットを選択的に作動または停止させることは、少なくとも１つのセンサによって影響される。一実施形態では、少なくとも１つのセンサは制御セクションに接続される。一実施形態では、少なくとも１つのセンサは、システム電流を測定し、制御、測定、およびシステムの機能性、ならびに動作および警報目的のため
の変流器を含む。一実施形態では、少なくとも１つのセンサは、システム空間または環境の温度を測定するための温度センサを含む。一実施形態では、少なくとも１つのセンサは、少なくとも１つのＨＶＡＣＲシステムのフィルタおよび／または冷却コイルにわたる圧力降下を測定するための圧力センサを含む。一実施形態では、少なくとも１つのセンサは、冷却水システムを通る水流量を測定するための流量センサを含む。一実施形態では、少なくとも１つのセンサは、空気湿度を測定するための湿度センサを含む。
【００５６】
別の実施形態では、システムは、少なくとも１つのＨＶＡＣＲシステムの独自の出力または入力を検知するための複数のセンサを含み、コントローラはセンサに応答し、その結果、少なくとも１つの冷却ユニットを選択的に作動または停止させることは、複数のセンサのうちの１つまたは複数によって影響される。一実施形態では、複数のセンサは温度センサを含む。一実施形態では、複数のセンサは圧力センサを含む。一実施形態では、複数のセンサは流量センサを含む。一実施形態では、複数のセンサは、水冷却塔および／または少なくとも１つの冷却ユニットの水回路におけるバイオフィルムの成長を検知するためのバイオフィルム成長センサを含む。
【００５７】
一実施形態では、システムは１つまたは複数のリモートコントローラ端末を含み、通信セクションは、１つまたは複数のリモートコントローラ端末への外部接続を可能にするための少なくとも１つの通信ポートを含む。一実施形態では、リモートユーザ端末は、複数の様々なタイプのＨＶＡＣＲシステムのうちのいずれか１つを動作させて、コントローラおよびシステムの所望の機能を有効にするように構成可能な制御ソフトウェアを実行することが可能なコンピュータである。一実施形態では、制御ソフトウェアはウェブアプリケーションを含む。一実施形態では、ウェブアプリケーションはエンドユーザインターフェースを含む。一実施形態では、ウェブアプリケーションは技術者インターフェースを含む。一実施形態では、通信セクションは、コントローラからの動作データを受信し記憶するためのストレージデータベースを含む。一実施形態では、動作データはウェブアプリケーションを介してアクセス可能である。
【００５８】
別の実施形態では、制御セクションは少なくとも１つのＩ／Ｏポイントを含む。さらなる実施形態では、制御セクションは最大８個のＩ／Ｏポイントを含む。その上さらなる実施形態では、制御セクションは最大３２個のユニバーサルＩ／Ｏポイントを含む。
【００５９】
一実施形態では、様々なタイプのＨＶＡＣＲシステムは、単一の圧縮機、複数の圧縮機、空調システム用の冷凍機、冷凍システム用の冷凍機、インバータシステム、および可変冷媒流量（ＶＲＦ）システムを含むグループのうちの１つまたは複数を含む。
【００６０】
一実施形態では、コントローラは約１２０ｍｍ×１２０ｍｍの設置面積を有する。一実施形態では、コントローラは約１００ｍｍ×１００ｍｍの設置面積を有する。一実施形態では、コントローラは約８０ｍｍ×８０ｍｍの設置面積を有する。
【００６１】
一実施形態では、少なくとも１つのＨＶＡＣＲシステムは複数の冷却ユニットを含み、コントローラはこれらの冷却ユニットの各々を同時に制御することができる。
【００６２】
一実施形態では、複数の冷却ユニットのうちの少なくとも１つは、冷却ユニットのうちの少なくとも１つの他のユニットとは異なるタイプのユニットである。
【００６３】
本明細書全体を通して、「一実施形態」、「いくつかの実施形態」、または「実施形態」への参照は、実施形態に関連して記載される特定の特徴、構造、または特性が本発明の少なくとも１つの実施形態に含まれることを意味する。したがって、本明細書全体を通して様々な箇所における、「一実施形態では」、「いくつかの実施形態では」、または「実
施形態では」という表現の出現は、必ずしもすべて同じ実施形態を参照しているわけではない。さらに、特定の特徴、構造、または特性は、１つまたは複数の実施形態において、本開示から当業者に明らかなはずであるように、任意の適切な方式で組み合わされてもよい。
【００６４】
本明細書で使用されるように、他に特に指定されない限り、共通オブジェクトを記述するための順序を表す形容詞「第１」、「第２」、「第３」などの使用は、同様のオブジェクトの異なるインスタンスが参照されていることを示すにすぎず、そのように記述されたオブジェクトが、時間的、空間的、順位付け、または任意の他の方式で、所与の順番になければならないことを意味するものではない。
【００６５】
以下の特許請求の範囲および本明細書の説明では、備える、構成される、または備えるものという用語のいずれも、少なくともそれに続く要素／特徴を含むが他のものを排除しないことを意味する開放型用語である。したがって、特許請求の範囲に使用されるとき、用語「備える」は、その後に列挙された手段または要素またはステップを限定するものとして解釈されるべきではない。たとえば、ＡおよびＢを備えるデバイスという表現の範囲は、要素ＡおよびＢのみからなるデバイスに限定されるべきではない。本明細書で使用されるような、含むまたは含むものまたは含むことという用語のいずれも、少なくともその用語に続く要素／特徴を含み、他を除外しないことを意味する開放型用語である。したがって、含むは備えると同義語であり、備えるを意味する。
【００６６】
本明細書で使用される、「例示的」という用語は、品質を示すこととは異なり、例を提供する意味で使用される。すなわち、「例示的な実施形態」は、必ずしも例示的な品質の実施形態ではなく、一例として提供される実施形態である。
【００６７】
添付の図面を参照して、ほんの一例として、本開示の好ましい実施形態がこれから記載される。
【図面の簡単な説明】
【００６８】
【図１Ａ】図１Ａは、本発明の一実施形態による、コントローラの概念的ブロック図である。
【図１Ｂ】図１Ｂは、本発明の別の実施形態による、コントローラの概念的ブロック図である。
【図２】図２は、図１Ａのコントローラを含むシステムのブロック図である。
【図３】図３は、それぞれ、図１Ａおよび図２のコントローラおよびシステムの動作をそれぞれ示すフローチャートである。
【図４】図４は、既知の空調または冷凍の回路を示す図である。
【発明を実施するための形態】
【００６９】
最初に図１Ａおよび図２を参照すると、すべてのＡＣＲシステムを含む、任意の既知のタイプの暖房、換気、空調、および冷凍ＨＶＡＣＲシステム（ＨＶＡＣＲシステムは参照番号１０１によって表記されている）を動作させることが可能な単一モジュール最適化コントローラ１００が提供される。本明細書に記載された好ましい実施形態では、ＨＶＡＣＲシステム１０１は空調ユニットの形態を取る。しかしながら、コントローラ１００は、事実上任意のＨＶＡＣＲシステムおよび冷凍システム（これは以下でさらに詳細に説明される）を含む多くの他のシステムとともに使用できることが諒解されよう。コントローラは、ウェブアプリケーション１０３の形態で、インターネット、クラウド、中央サーバシステム、および１つまたは複数のリモートコントローラ端末と通信するための通信セクション１０２と、（制御セクション１０４と呼ばれる）制御、測定、監視、および最適化セクションとを含む。ＨＶＡＣＲシステム１０１の空調ユニットは、圧縮機を有する少なく
とも１つの冷却ユニットを含み、制御セクションは、通信セクション１０２を介してウェブアプリケーション１０３から受信された１つまたは複数の設定に基づいて、少なくとも１つの冷却ユニットを選択的に作動または停止させるために、ＨＶＡＣＲシステム１０１と動作可能に関連付けられる。
【００７０】
より詳細に図２を参照すると、エンドツーエンドシステム２００全体内のコントローラ１００のブロック図は以下を含む。
・エンドユーザが見ることができるウェブアプリケーションの要素を含むエンドユーザインターフェース２０１
・技術者が見ることができるウェブアプリケーションの要素を含む技術者インターフェース２０２
・様々なパラメータを制御する能力を通信セクション１０２から供給されたウェブサイトの形態のウェブアプリケーション２０３
・通信セクション１０２上で動作するアプリケーションの形態の（制御ソフトウェア２０４と呼ばれる）制御、動作、およびインターフェースのソフトウェア。主要なアプリケーションは、ＨＶＡＣＲシステム１０１の入力／出力を制御し、データを記録する。システムの監督、システムメッセージの送信、および他の機能のための補足アプリケーションが存在する。
・３Ｇ／ネットワーク接続を有する従来のコアユニットハードウェアの形態の通信セクション１０２
・必要なデジタルおよびアナログの入力および出力を有する従来のＩ／Ｏハードウェアの形態の制御セクション１０４
・多くのタイプの空調システムまたは冷凍システムのうちの１つを表すＨＶＡＣＲシステム１０１
・ＲＳ２３２、ＲＳ４８５、Ｍｏｄｂｕｓ、またはデマンドレスポンスイネーブリングデバイス（ＤＲＥＤ）インターフェースを有する多くのタイプの外部システムのうちの１つを表すサードパーティ監視システム２０６であり、たとえば、一実施形態では、サードパーティ監視システム２０６は、電力計、サードパーティＡＣシステム、およびサードパーティオペレーティングシステムを含む。
・サーミスタ、（システム電流を測定し、制御、測定、およびシステムの機能性、ならびに動作および警報目的のためにも使用される変流器を含む）電流センサ、圧力センサ、および流量センサなどを含むが、それらに限定されない、多くのタイプの追加センサのうちの１つを表す追加センサ２０７
【００７１】
いくつかの好ましい実施形態では、通信セクション１０２および制御セクション１０４は、単一デバイスの中に結合されるが、それらの相対的な機能に基づいてこの説明では概念的に区別される。通信セクション１０２は、コントローラ１００との間の通信を可能にし、コントローラ１００へのコマンドの受信および中継、ならびにコントローラ１００からのデータの受信および記憶に使用されることが可能である。通信セクション１０２は、記憶されたデータが必要に応じてダウンロード、解読、および報告されることを可能にする、コントローラに割り当てられたＩＰアドレスを介してアクセスされる、内蔵３Ｇモデムを含む。さらに、通信セクション１０２は、受信者へのアラームの送信を可能にし、アラームに応答して、または所望により、通信セクションは、認可された技術者がコントローラ１００内の任意の設定を調整することをさらに可能にする。さらに、通信セクション１０２は、有線およびワイヤレスの通信機能を含む。
【００７２】
通信セクション１０２の特定の実施形態は、以下のハードウェアを含む。
・３ＧのＳＩＭカードの使用を可能にするＳＩＭカードホルダー
・拡張可能なメモリ用のＳＤカードホルダー
・組込み形ソフトウェアを実行するプロセッサ
・ローカルエリアネットワーク（ＬＡＮ）用のイーサネット(登録商標)接続
・３Ｇ信号用のアンテナ接続
【００７３】
通信セクション１０２は、電源コネクタを介して供給された１２Ｖ電力で動作し、さらに、制御セクション１０４とインターフェース接続するために電力およびＵＳＢ接続を提供する。通信セクション１０２は、制御セクション１０４用のドライバファームウェアを提供する。また、通信セクション１０２は、以下を含む標準モデム／ルータ機能を提供する。
・動的ホスト構成プロトコル（ＤＨＣＰ）
・仮想プライベートネットワーク（ＶＰＮ）
・ファイアウォール
・強制アクセス制御（ＭＡＣ）／ＩＰ／ポートフィルタリング
・動的ドメインネームシステム（ＤＮＳ）
・ネットワーク時間
・イベントロギング
・システムウォッチドッグ
・セキュアシェル（ＳＳＨ）
【００７４】
しかしながら、他の実施形態では、必要に応じて同等の代替構成要素が使用されることが当業者には諒解されよう。
【００７５】
制御セクション１０４は、「Ａｅｒｉｓ  Ｕｎｉｖｅｒｓａｌ  Ｉ／Ｏ」として知られるＩ／Ｏ制御デバイスの形態を取る。コントローラセクション１０４は、最大３２個のＩ／Ｏポイントを有する単一のＩ／Ｏ層を含む。
【００７６】
制御セクション１０４の特定の実施形態は、以下のハードウェア構成の可能性を含む。
・１６個の電気的に絶縁されたデジタル入力／出力
・１つの電気的に絶縁された４〜２０ｍＡのアナログ出力。これには外部ループ電源が必要である。
・１つの電気的に絶縁された０〜１０ＶＤＣのアナログ出力
・８個の４〜２０ｍＡのアナログ入力
・３つの変流器入力
・２つの２線ＰＴ１００サーミスタ入力
・４つの抵抗温度センサ
・ＲＳ２３２、ＲＳ４２２、ＲＳ４８５、またはＭＯＤＢＵＳのポートコネクタ用に構成できるシリアルポート
【００７７】
上記の入力／出力は、デジタルとアナログとの間で変化するユニバーサルポイントとして構成することができる。
【００７８】
図１Ｂに示された実施形態では、コントローラ１００は複数の制御セクション１０４を含み、図示された実施形態は、具体的に、８個の制御セクション（各々制御セクション１０４と同一であり、そのため同じ参照番号が使用される）を含む。各制御セクションは１つのＩ／Ｏ層のみを有するので、より多くのＩ／Ｏ層が必要なときにそのような実施形態が使用され、この場合は８個のコントローラモジュール（およびしたがって８個のＩ／Ｏ層）が使用される。制御セクション内のＩ／Ｏ層の数は、コントローラ１００の所望の測定、計量、および監視機能に必要な追加の入力および出力の数に基づいて選択される。
【００７９】
ＨＶＡＣＲシステム１０１は、図４に示され、参照番号４００によって表記された既知のシステムと本質的に同じであり、冷却コイルを通る水循環および冷却コイルにわたって
空気を誘導するための可変速ファンを有するシステム１０１を有する１つまたは複数の冷凍機から供給される冷却水を含む。実施形態では、ＨＶＡＣＲシステム１０１は、最大６つの冷却ユニットを含む。他の実施形態では、ＨＶＡＣＲシステムは、１つまたは複数の単一速度ファンを含む。さらに他の実施形態では、他のタイプの冷却システムまたは冷凍システムが利用され、コントローラ１００と等しく互換性がある。
【００８０】
追加センサ２０７は、Ｍｏｄｂｕｓ、ＤＲＥＤ、デジタル入力／出力、およびアナログ入力／出力のうちの１つまたは複数を介して、制御セクション１０４にインターフェース接続する。センサ２０７には以下が含まれるが、それらに限定されない。
・システムの温度および冷却されるべき空間の温度などを測定するための温度センサ
・ＨＶＡＣＲシステムのフィルタおよび／または冷却コイルにわたる圧力降下を測定するための圧力センサ
・冷却水および凝縮器送水ポンプの可変速度制御を介して、冷却水システムを通る水の流量を測定するための流量センサ
・システムの湿度および冷却されるべき空間の湿度などを測定するための湿度センサ
・室内空気の質を測定するための揮発性有機化合物（ＶＯＣ）センサ
【００８１】
上述したように、電流センサは変流器（ＣＴ）の形態を取ることができる。ＣＴの使用に関して、これらは、コントローラ内で、
・空調システムなどの単一のＨＶＡＣＲシステム内の個々の構成要素の電流を測定することであって、そのような構成要素が、給気ファンおよび圧縮機のうちのいずれか１つを含む、測定すること
・全空調電流を測定するが、給気ファンおよび圧縮機のうちのいずれか１つのうちのいずれか１つに関する値を表に記入すること
を含む、様々な機能を実行する。
【００８２】
コントローラは個々の値を識別し、それらは、次に、コントローラの出力機能と比較して個々の構成要素の実際の実行パフォーマンスの形態の肯定的なフィードバックを提供する。現在の範囲がコントローラによって監視されている選択された範囲外になった場合、テキスト、電子メール、ダッシュボード画面、またはローカルアラームによって警告するアラームが、通信セクション１０２を介して引き起こされる。
【００８３】
可変冷媒流量（ＶＲＦ）またはインバータへの電流が測定され、空調ユニットの冷凍負荷に対する最も効果的な最適化レベルを決定するためにも使用される。これは、デマンドレスポンスイネーブルデバイス（ＤＲＥＤ）を有する空調ユニットにインターフェース接続するときの電流消費に直接関係する。
【００８４】
リモートコントローラ端末は、選択制御を可能にするように制御セクション１０４に指示することができる。ウェブアプリケーション１０３は、様々な実施形態では、プログラム可能なコンピュータ、ポータブルコンピュータ、データを表示および操作することができる専用端末、ならびに適切にプログラムされた携帯電話または同様のデバイスからアクセス可能である。その上、実施形態では、リモートコントローラ端末は、制御セクション１０４から離れた場所にあり、既知の通信手段によって制御セクション１０４と通信している。
【００８５】
一実施形態では、リモートコントローラ端末自体が、通信セクション１０２を介して取得された情報からシステム１０１のエネルギー効率をどのように改善するかを学習する。この情報は、同じシステム１０１内で動作し、それらの最適化モジュールによって監視される領域のための調整を行うために情報をリモートコントローラ端末に送り返す、他の最適化モジュール１００から受信される。
【００８６】
制御セクション１０４は、ＨＶＡＣＲシステム１０１のいくつかの構成要素の機能を選択的に制御するように、ウェブアプリケーション１０３から命令を受信する。たとえば、可変ファン速度冷却水システムの場合、制御セクション１０４は、冷却コイルを通る水循環の循環流量を制御し、ファンモータの可変速度制御を介して冷却コイルにわたるファンの空気流量（ファン速度）も制御する
【００８７】
一般的に言えば、センサ全体は、快適性もしくは最適化の調整を行い、かつ／または分析目的でセンサからのデータを監視するために、システム制御セクション１０４によって評価される。
【００８８】
センサおよびＨＶＡＣＲシステム１０１の構成要素の制御は、すべて、ＨＶＡＣＲシステム１０１のアンローダバルブの設定点または動作に基づく。圧縮機の作動および停止は、空間内の事前選択された平均温度を維持しながら、システムのエネルギー効率を最大化する。
【００８９】
コントローラ１００の単一ユニットは、ＢＵＳＮＥＴまたはワイヤレス通信を介して別のユニットに接続可能である。他の実施形態では、１つのシステムで利用されるコントローラ１００の複数のユニットが存在する。
【００９０】
制御セクション１０４は、所望のインターフェースを実現するいくつかのプロトコルを含み、それらには、ＲＳ２３２／４８５、Ｍｏｄｂｕｓ、ならびにビルオートメーションおよび制御ネットワーク（ＢＡＣｎｅｔ）などが含まれ、それらはすべて国際的なインターフェースである。
【００９１】
それは暗黙的であるが、通信セクション１０２がコントローラ１００内で内部的に制御セクション１０４に接続することの完全性のために言及される。他の実施形態では、健康および使用監視（ＨＵＭ）は、ＡＣＲ資産に対する完全に独立した操作を使用して実行することができ、コントローラ１００は、その次のユニットにインターフェース接続し、同時にその機能を実行するために使用することができる。
【００９２】
コントローラ１００は、さらなる機能を実行することができるためにはるかに大きい設置面積を有する完全に異なるハードウェアを必要とする、既知のシステムよりも大幅に改善されている。コントローラ１００の設置面積は約１２０ｍｍ×１２０ｍｍであり、はるかに大きい設置面積を有する他の業界標準単一機能システムを有する最大サイズのユニットである。別の実施形態では、コントローラ１００の設置面積は約１００ｍｍ×１００ｍｍである。さらに別の実施形態では、コントローラ１００の設置面積は約８０ｍｍ×８０ｍｍである。
【００９３】
制御セクション１０４は、入力に基づいて最適なパフォーマンスを計算し、特定の方式で動作するように（制御セクション１０４を介して）ＨＶＡＣＲデバイスに指示する制御ソフトウェア２０４と連携して動作する。さらに、制御ソフトウェア２０４は、様々なタイプのＨＶＡＣＲシステムを最適に動作させるように構成可能である。
【００９４】
上述したように、単一のコントローラは、一般に、単一の空調ユニットを動作させる。しかしながら、コントローラ１００上のＬＡＮ通信ポートを介してＢＵＳＬＩＮＫ通信を形成する最大２５０のコントローラをリンクすることができ、この場合、リンクされたコントローラはすべて、ＬＡＮ  Ｂｕｓｗａｙを介して個別にアクセスすることができる。
【００９５】
既存の最適化システムは、一般に、システムの１つまたは２つのパラメータのみを評価
し、システム全体の動作を認識していない。上述したように、１つ、２つ、４つ、または８つの圧縮機システムおよび冷凍機システムなどの様々なＡＣＲ資産の最適化は、従来、非常に異なるオプティマイザを必要とした。しかしながら、コントローラ１００は、これらのシステムのすべてを最適化することができる。コントローラ１００はまた、ある技術のシステムから任意の他の技術のシステムに再配置することができ、関連するソフトウェアプログラムは、その技術で動作するように選択される。
【００９６】
コントローラ１００は以下を可能にする。
・（個々のユニットのレベルにあるような）資産レベルでの圧縮機の継続的な最適化
・内蔵最適化とのコントローラの組合せ
・以下を含む、すべての既知のシステムにインターフェース接続する１つのデバイス
○単一の圧縮機。
○最大８個の複数の圧縮機またはステージ
○空調システム用冷凍機
○冷凍システム用冷凍機
○インバータシステム
○可変冷媒流量（ＶＲＦ）システム
【００９７】
さらに、コントローラ１００は、以下の特定の圧縮機システムのいずれかを最適化することができる。
・冷凍能力が２ｋＷｒから３０ｋＷｒのシンプルな固定速度圧縮機：
○このインターフェースは、圧縮機のサイクルおよび／または動作空間温度に対して圧縮機を最適化し、ハードワイヤインターフェースである。
・特定のＤＲＥＤまたはＭｏｄｂｕｓインターフェースを有するインバータおよびＶＲＦシステム用の可変速度圧縮機：
○このインターフェースは、消費されるモータ電流および／または空間温度に対して圧縮機を最適化する。それは、ＤＲＥＤインターフェースの場合、ハードワイヤインターフェースである。Ｍｏｄｂｕｓ接続がある場合、それは高レベルインターフェースであり、システム内の最適化を開始するためにＭｏｄｂｕｓを介して命令を提供するコントローラ１００内に変更パラメータがセットアップされる。
・最大４つのアンローディング段階を有する単一速度往復圧縮機：
○このシステムは、圧縮機のアンローディングおよび空間温度のどちらかに対して最適化し、または、それは、冷却水システムの場合、冷却残存冷却水温度に対して動作する。これはハードワイヤインターフェースである。
・２台から８台までの複数の圧縮機を有するシステム：
○これらのシステムは、圧縮機のサイクルおよび空間温度に対して最適化される。
○それらが吸気圧力に対して制御されるより大きい冷凍システムである場合、吸気圧力に対して最適化するために、さらなる冷媒圧力トランスデューサがシステムに取り付けられる。
・スクリュー圧縮機システムは、一般に、この信号の変形を提供して、システムに機能の最適化を提供するためにシステムと統合するように、コントローラ１００内にセットアップされた低レベル入力点（０〜１０ＶＤＣまたは４〜２０ｍＡ）のいずれかを有する独自の制御システムを有する。
・スクリュー冷凍機は、最大４段までなり得るそれらのアンローディングソレノイドバルブを介してインターフェース接続することもできる。制御プラットフォームが温度または吸気圧力であることに応じて、段階的な溶液が使用される。
・遠心圧縮機システムは、アンローディングバルブを除き、上記の通りである。
【００９８】
スクリュー圧縮機システムおよび遠心圧縮機システムが、すでに設定点調整を提供している監視制御およびデータ収集（ＳＣＡＤＡ）、プログラマブル論理制御（ＰＬＣ）シス
テム、またはＢＭＳからの既存の高レベル制御を有する場合、この既存のシステムは、コントローラ１００からの０〜１０ＶＤＣもしくは４〜２０ｍＡの出力からの低レベルインターフェースを介して、またはＭｏｄｂｕｓもしくはＢＡＣｎｅｔのインターフェースを介して、コントローラ１００とインターフェース接続され、圧縮機に対する最適化は、インターフェースを介してこの追加情報を提供することによって影響される。
【００９９】
あらゆるタイプの空調および冷凍システムにおける圧縮機動作の基本的な最適化に加えて、コントローラ１００は、以下を提供することもできる。
・システム制御
・以下を含む、パッケージ空調ユニットおよび空気処理ユニットの資産監視および報告の可能性：
○空間温度
○コイル両端の温度差
○コイル両端の圧力差
○フィルタ両端の圧力差
○コイル面での空気流量
○ダクトの空気圧
○可変速度駆動（ＶＳＤ）制御
○ファンアンプ
○圧縮機アンプ
○単一資産のエネルギー消費全体
○上記パラメータの各々のライブ監視
○障害の報告および警告
・以下を含む、冷凍機の資産監視および報告の可能性：
○流出水および流入水の温度
○冷却塔および水回路のバイオフィルム定着
○冷凍機の流量
○冷凍機の圧力
○圧縮機増幅器
○冷凍機のエネルギー消費全体
○上記パラメータの各々のライブ監視
○障害の報告および警告
【０１００】
基本的な最適化に加えて、コントローラ１００は、前述のシステムのすべてに関して以下を報告する。
・変流器を介した連続動作または圧縮機の故障
・動作温度
・コイルの温度差
・コイル両端の圧力降下
・コイル面での空気流量
・ファンによって消費された電流
・過剰温度
・不足温度
・圧縮機の故障
・ファンの故障
・特定のプロセスまたはクライアントの要件によって必要とされる他のパラメータ
・屋内空気の質
・収益グレードメーター測定によるフルパワー測定および監視：
○ｋＷ
○ｋＷｈ
○ｋＶａ
○ｋＶａｒ
○力率
○アンペア（３相または単相）
○ライン電圧
【０１０１】
コントローラ１００はまた、ＢＭＳまたはＳＣＡＤＡシステムに統合して、その全動作プラットフォームの統合部分となることができる。
【０１０２】
いくつかの実施形態では、電力監視は、コントローラ１００によって制御および／または最適化されるユニットに対する。他の実施形態では、電力監視は、他のシステムまたはサイト全体で同時に行われる。
【０１０３】
いくつかの実施形態では、コントローラ１００は、最初にプログラムされ、プログラムされた機能を実行するために分離された、通信していない、ネットワーク化されていないデバイスである。より好ましい実施形態では、コントローラ１００は、完全にネットワーク化され相互運用可能な制御および圧縮機の最適化デバイスである。他の実施形態では、セットアップの特定の状況および要件に応じて、様々なレベルの通信およびネットワーク接続が利用される。
【０１０４】
通信セクション１０２は、内蔵モデムと通信するウェブインターフェースによってアクセスされる。
【０１０５】
制御ソフトウェア２０４は、制御セクション１０４のデジタル入力（たとえば、サーモスタット出力）ならびにアナログ入力（たとえば、サーミスタおよび変流器）からの入力を取るプログラムを含む。プログラムは、ＨＶＡＣＲシステム１０１を最適化および／または制御するアルゴリズムを実装しなければならない。デジタル出力（たとえば、圧縮機オン／オフ信号、暖房オン／オフ信号）ならびにアナログ出力（たとえば、冷凍機設定点）は、プログラムによって設定される。
【０１０６】
プログラムは、ＨＶＡＣＲシステム１０１が通常どおり動作できるようにバイパスすることもできる。
【０１０７】
特に、ＨＶＡＣＲシステム１０１に関連付けられたすべての温度、オン期間、およびオフ期間を含む調節可能な要素を用いて、プログラムは調節可能である。制御システムを有するプログラムは、サーモスタット信号ではなく温度に基づいて制御ループを実装しなければならない。
【０１０８】
いくつかの実施形態では、パラメータデータは毎分１回の割合で内部ストレージに記録され、すべてのログエントリはタイムスタンプされるべきである。ロギングファイルタイプは、様々なパラメータが様々なタイプのシステムに記録されることを可能にするように柔軟でなければならず、ログファイルは最低１年間通信セクション１０２上で保持される。他の実施形態では、データは最低１年間以外の間保持される。必要に応じて、ロギング内部にわたる最小値および最大値がパラメータごとに記憶される。
【０１０９】
（そのシステムで利用可能な場合）以下のデータが記録されるべきである。
・［ｄｄ／ｍｍ／ｙｙｙｙ  ｈｈ：ｍｍ：ｓｓ］形式の日付／時刻
・温度［度Ｃ／Ｆ］
・圧縮機ごとのオン／オフ時間［時間］
・圧縮機ごとの要求されたオン時間（サーモスタット信号の累積）［時間］
・バイパスモードにある時間［時間］
・セーブモードにある時間［時間］
・温度オーバーライドモードにある時間［時間］
・システム電流［アンペア］
・圧縮機電流［アンペア］
・ファン電流［アンペア］
・圧力［ＰＳＩ／Ｂａｒ／ｋＰａ］
・水温［度Ｃ／Ｆ］
・設定点［温度の場合は度Ｃ／Ｆ、圧力の場合はＰＳＩ／Ｂａｒ／ｋＰａ］
・圧縮機コイル両端の温度差［度Ｃ／Ｆ］
・蒸発器コイル両端の圧力差［ＰＳＩ／Ｂａｒ／ｋＰａ］
・フィルタ両端の圧力差［ＰＳＩ／Ｂａｒ／ｋＰａ］
・蒸発器コイル面での空気流量［ｍ／ｓ］
・ダクトの空気圧［ＰＳＩ／Ｂａｒ／ｋＰａ］
・冷凍機の圧力［ＰＳＩ／Ｂａｒ／ｋＰａ］
・可変速度駆動（ＶＳＤ）制御設定
・以下を含む、サードパーティ電力監視システムからのデータ
○電圧［Ｖ］
○電流［Ａ］
○電力［ｋＷ］
○電力使用量［ｋＷｈ］
○力率［％］
・システムアラートのリスト
【０１１０】
制御ソフトウェア２０４は、以下のハードウェア用のドライバを有する。
・変流器（ＣＴ）
・温度センサ（ＰＴ１００）
・デジタル入力
・デジタル出力
・アナログ入力
・アナログ出力
・ＤＲＥＤインターフェース
・ＢＡＣｎｅｔ
・Ｍｏｄｂｕｓ
【０１１１】
（ＣＴを含む）任意のアナログ入力またはアナログ出力は、アナログデジタル変換器（ＡＤＣ）またはデジタルアナログ変換器（ＤＡＣ）の性能またはＨＶＡＣＲシステム１０１のセットアップにおけるあらゆる差異を考慮に入れるために、線形較正の選択肢を有する。
【０１１２】
コントローラ１００は、ＭｏｄＢｕｓを介してサードパーティ電力監視システムにインターフェース接続する。パラメータは上述されたように記録されるべきである。
【０１１３】
プログラミングは改ざんを最小化するために保護されている。これには、ウェブ制御パラメータに対するパラメータ範囲チェック、すべての形式のアクセスに対するパスワード保護、通信セクション１０２および制御セクション１０４のハードウェアへの直接アクセスに対するファイアウォールが含まれる。
【０１１４】
システム２００は、以下の最適化のみのシステムタイプ用のプログラムをサポートする。
・固定速度単一圧縮機
・単一速度インバータは可変速度インバータであるべきである
・可変冷媒量（ＶＲＶ）
・３段階
・固定速度二重圧縮機
・固定速度４圧縮機
・固定速度８圧縮機
【０１１５】
システム２００は、最適化システムタイプを有する以下のコントローラ用のプログラムをサポートする。
・固定速度単一圧縮機
・固定速度二重圧縮機
・固定速度４圧縮機
【０１１６】
システム２００は冷凍機制御をサポートし、ほとんどまたは全く修正なしに他のシステムタイプの追加を可能にする。
【０１１７】
システム２００は、日付および時刻を記録し、したがって、毎週特定の時間にＨＶＡＣＲシステム１０１をオンまたはオフにすることができる。
【０１１８】
上記および図２に示されたように、ウェブアプリケーション２０３は、異なるユーザタイプ−エンドユーザおよび技術者をサポートしなければならない。
【０１１９】
エンドユーザインターフェース２０１は、非常に狭い範囲内の温度設定点の制御を可能にし、ダッシュボード上に以下の情報を表示する。
・温度
・電力
・電流
・現在の圧縮機のステータス
【０１２０】
技術者インターフェース２０２は、エンドユーザインターフェース２０１のすべての機能を含み、加えて以下を含む。
・すべてのプログラムパラメータの更新
・ソフトウェアの再プログラミング
・すべてのログファイルをダウンロードする機能
・（ソフトウェアアルゴリズムによって現在制御されている出力以外の）任意の入力または出力を設定する／読み取る機能
【０１２１】
システム２００はまた、ＳＭＳおよび電子メールのアラートを生成することも可能であり、アラートのタイプはウェブインターフェース２０３から構成可能である。アラートタイプには以下が含まれる。
・システムリブート−知られている場合リブートの理由を含む
・ＳＤカードがない
・ＳＤカードが一杯に近い
・ＳＤカードが一杯
・デジタル入力の読取りがデジタル出力の設定と一致しない
・以下を含む、予測された範囲外の任意の測定されたアナログ入力：
○電流
○温度
○圧力
○温度差
・ドライバ設定／読取りエラー
・Ｍｏｄｂｕｓデバイスへの通信の喪失
・制御セクション１０４への通信の喪失
・圧縮機の合計オン時間が限界に達する
・圧縮機のオン／オフサイクルの合計数が限界に達する
・改ざん警告（任意の無認可ログオンの試み）
【０１２２】
実施形態では、システム２００は、任意の入力および出力のライブ監視も可能であり、任意の出力を調整するための低レベル制御モードを有する。
【０１２３】
図３を参照すると、システム２００をセットアップするためのプロセスは、ウェブアプリケーション２０３を介して行われる。ステップ３０１は特定の解決策の選択であり、解決策は、たとえば、商業ビル向けのいくつかの空調ユニットの機能を制御することである。これにより、ステップ３０２において最初の最適化動作アルゴリズムを用意するように制御ソフトウェア２０４がトリガされ、ステップ３０３において最適化動作アルゴリズムがコントローラ１００に入力される。この最適化動作は、（設定点は変化してもよいが）所与のレベルで特定の設定点パラメータを維持することに基づき、好ましい実施形態では、この設定点パラメータは、ＨＶＡＣＲシステムの「流出／出口水温点」である。したがって、既定の温度に出口水温を維持するために、コントローラ１００は、特定のタイプのＨＶＡＣＲシステム資産を制御することを進め、資産の一部は、参照番号３０４のラベルが付けられたボックス内に列挙されている。この制御には、ＨＶＡＣＲシステムのいくつかの構成要素のパフォーマンスを調節すること、たとえば、単一速度ファンをオンまたはオフにすること、可変速度ファンを減速または加速すること、冷却水システムを通る水の流れを減速または加速することなどが含まれる。資産インターフェースは、ステップ３０５において、制御ソフトウェア２０４および個々の資産の両方から入力を受信し、この情報をＨＶＡＣＲシステムに提供し、情報の一部は、参照番号３０６のラベルが付けられたボックス内に列挙されている。個々の資産およびＨＶＡＣＲシステムの両方の出力は、ステップ３０７において監視システム２０６によって監視され、監視パラメータは温度、圧力、および流量を含み、それらは参照番号３０８のラベルが付けられたボックス内に列挙されている。最後に、ステップ３０９において、ＢＭＳインターフェースは、個々の資産、ＨＶＡＣＲシステム、および監視システム２０６から入力を受信し、参照番号３１０のラベルが付けられたボックスは、いくつかの一般的な様々なタイプのＢＭＳを示す。次いで、システム２００のセットアップが完了し（ステップ３１１によって表記され）、コントローラおよびシステムの通常の機能が開始される。
【０１２４】
上述したように、コントローラ１００の機能は「設定点の変更」を片付ける。すなわち、所望の室温を達成するために、ある設定点（たとえば、ある出口水温点）が最初に設定される。とりわけ、ＨＶＡＣＲシステム１０１の特定の状況を監視しているセンサ２０７から受信されたデータに基づいて、データが制御ソフトウェア２０４にフィードバックされ、その結果、動作アルゴリズムが調整され、次に動作アルゴリズムが設定点を変更する。
【０１２５】
上記の動作アルゴリズムの調整に基づいて、コントローラ１００、したがってシステム２００は、フィードバックを介してより効率的に機能するように本質的に「学習する」自動自己改善直感的システムである。
【０１２６】
他の実施形態では、設定点パラメータは出口水温以外である。ＨＶＡＣＲシステムが冷凍システムである実施形態では、設定点パラメータは、冷凍システムの吸気圧力または吸気温度である。設定点パラメータが吸気圧力である場合、ＰＳＩ、Ｂａｒ、またはＫｐａ
などの関連する測定パラメータを適合するように選択することができる。
【０１２７】
他の実施形態では、コントローラ１００は、上記以外の設定点パラメータを使用する。さらに他の実施形態では、コントローラ１００は、複数の設定点パラメータを使用する。
【０１２８】
コントローラ１００の機能は、固定速度ＨＶＡＣシステムを単にオン／オフすること、および／または可変速度ＨＶＡＣシステムの速度を落とすことを含む、「固定タイミング基準」で機能する比較的単純なコントローラを使用する、他の既知のデバイスと比べて有利である。
【０１２９】
コントローラ１００の有利な機能についての別の例は、ＨＶＡＣＲシステムのフィルタ上に埃が堆積する状況である。そのような堆積は、空気流量を抑制し、空気流圧力を低下させ、次に、必要な冷却を提供するためにＨＶＡＣＲシステムをより懸命に働かせる。コントローラ１００は、圧力降下を識別することができ、これがダストフィルタによって引き起こされると推論することができる。コントローラ１００は、次いで、フィルタを清掃または交換することを推奨するフィードバックを提供することができる。
【０１３０】
先に述べたように、熱交換コイル上に存在するバイオフィルムは、冷却システムおよび冷凍システムのエネルギー効率を最適化することを検討するときの重大な課題をもたらす。本出願人は、蒸発器コイルの特定の「コイル処理」と連携してコントローラ１００を使用することにより、さらに大きい節約を達成できることに留意した。加えて、冷却塔および水回路に存在するバイオフィルムは、熱交換効率に悪影響を及ぼし、レジオネラ属細菌に関連する重大な健康上の課題をもたらす。
【０１３１】
バイオフィルムは、細胞から基板に滲出したタンパク質およびムコ多糖類、ならびに多糖類および細胞間の接着を生成する他の炭水化物のおかげで接着が強固なので、表面から洗浄することが困難であることで有名である。さらに、バイオフィルムは、様々な他の生物学的分子、死細胞の中に含まれる表面「スライム」を表し、この層は、そうでない場合その除去を容易にする殺生物剤および他のメカニズムからバイオフィルムを保護する。
【０１３２】
従来、バイオフィルムは、影響を受けた表面を乾燥させ、次いで、超高圧水の噴出により、または高アルカリ性洗剤の流れに長時間暴露することによって作用する力を使用して除去されている。
【０１３３】
これらの従来の技法のいずれも熱交換冷却コイル上で使用することができない、なぜなら、それらは、通常、密閉された（２〜３ｍｍの間隙が一般的である）、冷媒が通過する銅管に薄く柔軟な冷却フィンを取り付けた未陽極化アルミニウムから構築されるからである。通常はそうではないが、乾燥が選択肢であった場合でも、高圧水の噴出が軟質アルミニウムフィンの端を破壊し、いかなるアルカリも直ちに未陽極化アルミニウムに深刻な腐食を引き起こし始めるので、フィン間の摩耗を使用することはできない。
【０１３４】
本ケースに使用される冷却コイルのための「コイル処理」は、第１にコイルのマルチ酵素洗浄と、第２に生物静止性ポリマーフィルムの塗布とを含む２段階プロセスである。
【０１３５】
あらゆる酵素は、通常、１つのクラスの生物学的分子しか消化することができない。タンパク質分解酵素またはプロテアーゼ（タンパク質を消化する）、アミラーゼ（多糖類を消化する）、セルラーゼ（セルロースおよび関連する炭水化物を消化する）、ならびにリパーゼ（トリグリセリドを消化する）を組み合わせると、幅広い地形および環境にわたる熱交換冷却コイル上で成長するバイオフィルムの消化に成功できることが様々な実地試験で実証されている。さらに、これらの酵素配合物は、中性に近いｐＨを示し、したがって
、冷却コイルに対する腐食性の意味をもたない。通常、これらの配合物は、使用時に温水で希釈され、冷却コイルのすべての有効領域に噴霧され、少なくとも２０〜３０分間放置された後、低圧水でゆすぎ落とされた水性濃縮物として存在する。このプロセスは、バイオフィルムを効率的に排除することが分かっている。
【０１３６】
適切な洗浄レジームは、ＰＣＴ公開番号ＷＯ／２００９／１３５２５９（題名「Ｉｎｓｔｒｕｍｅｎｔ  Ｃｌｅａｎｅｒ」、ＰＣＴ／ＡＵ２００９／０００５６４）、およびＰＣＴ公開番号ＷＯ／２００８／００９０５３（題名「Ｌｏｗ  Ｆｏａｍｉｎｇ  Ｃｌｅａｎｅｒ」、ＰＣＴ／ＡＵ２００７／０００９９９）などの、Ｎｏｖａｐｈａｒｍ  Ｒｅｓｅａｒｃｈ（Ａｕｓｔｒａｌｉａ）Ｐｔｙ  Ｌｔｄの以前公開された特許出願に詳述されている。
【０１３７】
一実施形態では、洗浄レジームは、プロテアーゼおよび生物静力学的に有効なフェノキシアルコールを備える組成物の使用を含む。実施形態では、組成物は、有利なことに、１つまたは複数の加水分解酵素、および場合によっては活性保護剤としてのホウ素またはホウ素化合物を含む。
【０１３８】
別の実施形態では、洗浄レジームは、プロテアーゼ、ならびに場合によっては、加えてリパーゼ、セルラーゼ、およびアミラーゼを含むがそれらに限定されない１つまたは複数の加水分解酵素を含む、界面活性剤フリーの組成物の使用を含む。界面活性剤フリーの組成物は、水溶性グリコールエーテル溶媒、少なくとも１つのアニオン性ヒドロトロープ（通常、キシレンスルホン酸ナトリウムまたはクメンスルホン酸塩などのアルカリ金属アルキルアリールスルホン酸塩）も含む。
【０１３９】
さらに別の実施形態では、洗浄レジームは、１つまたは複数の酵素（たとえば、プロテアーゼおよびアミラーゼ）、殺生物性第４級アンモニウム殺生物剤、ならびにアニオン性ヒドロトロープを備える液体組成物の使用を含む。液体組成物は、活性保護剤としてのホウ素もしくはホウ素化合物、および／または２から６のヒドロキシル基を有するポリオールを含んでもよい。
【０１４０】
上記のすべての洗浄レジームは、バイオフィルムの特性に合わせてカスタマイズすることができ、必要な場合、言及された酵素成分を完全なマルチ酵素範囲（プロテアーゼ、アミラーゼ、セルラーゼ、およびリパーゼ）に拡大することができる。
【０１４１】
バイオフィルムは、冷却機能の再開時に冷却コイル上で迅速に再成長し始める。したがって、最適な熱交換特性を維持するためには、これらの有効表面に対する処理が必要である。
【０１４２】
「コイル処理」プロセスの第２の部分は、親水性であるが水に不溶性のポリマーと複合化された（反応していない）１つまたは複数の一般に使用される殺生物剤を備えるフィルムの新しく洗浄された表面への塗布を含む。どちらの場合も、ポリマー／殺生物剤複合体はエタノールに溶解することができ、バイオフィルムが消化されすすぎ落とされた後にコイル表面に噴霧される。通常、処理は１２ヶ月〜３６ヶ月の間続き、その後表面を再び洗浄し、処理しなければならない。殺生物剤およびポリマーは、ＰＣＴ公開番号ＷＯ／２００４／１０３０７１（題名「Ｂｉｏｆｉｌｍ  Ｇｒｏｗｔｈ  Ｐｒｅｖｅｎｔｉｏｎ」、ＰＣＴ／ＡＵ２００４／０００６５０）、およびＰＣＴ公開番号ＷＯ／２００６／０８１６１７（題名「Ｂｉｏｓｔａｔｉｃ  Ｐｏｌｙｍｅｒ」、ＰＣＴ／ＡＵ２００６／０００１３０）などの、Ｎｏｖａｐｈａｒｍ  Ｒｅｓｅａｒｃｈ（Ａｕｓｔｒａｌｉａ）Ｐｔｙ
Ｌｔｄの以前公開された特許出願に記載されている通りである。
【０１４３】
１つの処理は、アクリルコポリマーベースの組成物、メタクリルコポリマーベースの組成物、ビニルコポリマーベースの組成物、エポキシ樹脂、エポキシエステル、およびそれらの混合物などの、フェノール系殺生物剤およびポリビニルピロリドンまたはポリビニルピロリドンのポリマーもしくはコポリマーの溶液の塗布を含む。
【０１４４】
具体的には、トリクロサンと錯体を形成したポリビニルピロリドン／ポリビニルアセテートのコポリマーが好ましい。
【０１４５】
別の処理は、第４級アンモニウム殺生物剤およびポリビニルアルコールなどの相溶性ポリマー、または第４級アンモニウム殺生物剤と錯体を形成した無水マレイン酸／アルキルビニルエーテルコポリマーの半エステルの溶液の塗布を含む。
【０１４６】
実際には、発明者にとって驚くべきことに、蒸発器コイルの上述されたような特定の処理とともに本明細書に記載されたコントローラを使用すると、部品の合計よりも大きい合計でコストの節約を増大させることを試験が示した。下記の表は、各々が１週間の期間にわたって行われたいくつかの試験の結果を示している。
【表１】
2019518192.tif 000003
【０１４７】
上記の表に示されたように、コントローラは単独で（「オプティマイザのみ」）通常の機能（「ＡＣ制御のみ」）よりも大幅にエネルギーを節約する。さらに、単独での「コイル処理」（「コイル処理のみ」）は、通常の機能よりも大幅にエネルギーを節約する。しかしながら、上述したように、２つの技術の組合せは予期せぬ相乗効果をもたらし、部品の合計よりも大きい節約であるエネルギー節約をもたらす。
【０１４８】
「ＡＣ制御のみ」の機能を見ると、ＨＶＡＣＲシステムの過度の使用に起因してコイル上に積層が形成され始めると、これにより、ＨＶＡＣシステムの出力が低下し、したがって、一定の室温を達成するためにＨＶＡＣシステムを懸命に働かせる（すなわち、より多くの電力を消費する）。これにより、所望の温度を達成し維持しようとするために、システムが懸命に働き、より頻繁にオン／オフするため、室温の変動がかなり大きくなる。そのような挙動は、既知のデバイスの比較的単純な機能する能力の結果である。しかし、「オプティマイザのみ」機能用のコントローラ１００は、より多くのフィードバック情報を受信し、所望の温度をより効率的に達成するようにその挙動を変更するために、この情報でより多くのことを行うことができる。これにより、ＨＶＡＣシステムの温度変化が劇的に減少し、ひずみが大幅に減少する。
【０１４９】
ＨＶＡＣＲシステム１０１の最適化用の各ソフトウェアプログラムは、一組の規則に従う。特定の状態が検出された場合、プログラムはそれに応じて動作する。以下は単なる例であり、すべての数値は、特にタイミングパラメータを調整するように構成可能であることが着目された。いくつかのプログラム例が下記に提示される。
例Ａ．１：単一圧縮機固定速度システム−最適化のみ
【０１５０】
使用される入力／出力は、温度基準、１つのデジタル入力（サーモスタット）、および１つのデジタル出力（圧縮機）である。
【０１５１】
すべての動作は、オンおよびオフするように圧縮機にサーモスタットが要求している時間期間を検出したことに基づく。
【０１５２】
この例についての規則は以下の通りである。
・Ａ．１．２．１  短いサイクルが検出された場合、７分のオフ期間が圧縮機に適用される。
・Ａ．１．２．２  オン時間が１０〜２０分である場合、６分のオフ期間が圧縮機に適用される。
・Ａ．１．２．３  オン時間が２０〜３０分である場合、３０分の期間内に２つの６分間のオフ期間が圧縮機に適用されなければならない。オフサイクルの間は少なくとも１０分でなければならない。注：時間は６＋１０＋６＋１０＝３２のように調整されるべきである。
・Ａ．１．２．４  オン時間が３０分より大きい場合、７分間のオフ期間が圧縮機に適用される。
・Ａ．１．２．５  オーバーライド温度に達した（冷却時に最大値よりも大きいか、または加熱時に最小値よりも小さい）場合、システムはバイパスモードに入り、サーモスタットが圧縮機を直接制御する。このモードは、温度がオーバーライド温度の内側に１℃のマージンで戻るまで続く。
・Ａ．１．２．６  １時間よりも長い間サーモスタット入力がなかった場合、ソフトウェアは（すなわち、一晩中）システムの電源が切れていると判断する。このモードは規則５を無効にする。
○Ａ．１．２．６．１  この後２１分より長いオン時間がある場合、６分のオフ期間が適用される。
○Ａ．１．２．６．２  最初の６分のオフ期間の後２１分のオン時間がさらにある場合、７分のオフ期間が適用される。
○Ａ．１．２．６．３  サーモスタット信号がオフになるまで、２１分オンおよび７分オフのサイクルが適用される。
○Ａ．１．２．６．４  この点の後、サイクルは規則１〜４に戻る。
・Ａ．１．２．７  短いサイクル：これは、圧縮機がその最小期間でオフおよびオンになる条件である。システムは、以下のシーケンスが検出されたときとして短いサイクルを定義する。
○４分オン、
○４分オフ、
○４分オン、および
○４分オフ。
例Ａ．２：２つの圧縮機固定速度システム−最適化のみ
【０１５３】
使用される入力／出力は、１つの温度基準、２つのデジタル入力（サーモスタットステージ１、サーモスタットステージ２）および２つのデジタル出力（圧縮機１、圧縮機２）、３つのアナログ入力、ならびにコンプレッサごとのＣＴ入力である。
【０１５４】
この例についての規則は以下の通りである。
・Ａ．２．２．１  （サーモスタットが１つの出力オンしかもたない場合の）低負荷状態で、このシステムは１つの圧縮機固定速度システムの規則に従う。
・Ａ．２．２．２  低負荷状態では、圧縮機１のみが使用される。
・Ａ．２．２．３  第２のサーモスタット出力がオンであるとき、第２の圧縮機は、１つの圧縮機固定速度システムの規則に従って動作し、第１の圧縮機はオンのままである。
例Ａ．３：４つの圧縮機固定速度システム−最適化のみ
【０１５５】
使用される入力／出力は、１つの温度基準、４つのデジタル入力（サーモスタットステージ１、サーモスタットステージ２、サーモスタットステージ３、サーモスタットステージ４）、４つのデジタル出力（圧縮機１、圧縮機２、圧縮機３、圧縮機４）、１つアナログ入力、圧縮機ごとのＣＴ入力、および１つのアナログ出力である。
【０１５６】
この例についての規則は以下の通りである。
・Ａ．３．２．１  （サーモスタットが１つの出力オンしかもたない場合の）低負荷状態で、このシステムは１つの圧縮機固定速度システムの規則に従う。
・Ａ．３．２．２  低負荷状態では、圧縮機１のみが使用される。
・Ａ．３．２．３  第２のサーモスタット出力がオンであるとき、第２の圧縮機は、１つの圧縮機固定速度システムの規則に従って動作し、第１の圧縮機はオンのままである。
・Ａ．３．２．４  第３のサーモスタット出力がオンであるとき、第３の圧縮機は、１つの圧縮機固定速度システムの規則に従って動作し、第１および第２の圧縮機はオンのままである。
・Ａ．３．２．５  第４のサーモスタット出力がオンであるとき、第４の圧縮機は、１つの圧縮機固定速度システムの規則に従って動作し、第１、第２、および第３の圧縮機はオンのままである。
例Ａ．４：冷凍機の最適化
【０１５７】
使用される入力／出力は、１つの水温基準、（特定の冷凍機に依存する）複数のデジタル入力、（特定の冷凍機に依存する）複数のデジタル出力、ＣＴ入力、および水設定点用の１つのアナログ出力である。
【０１５８】
この例についての規則は以下の通りである。
・Ａ．４．２．１  最適化は冷凍機用の設定点を変更することを含む。設定点は、３０分に１回、５〜１１分の期間の間既知の要因によって増加する。
・Ａ．４．２．２  設定点が増加する時間は、過去３０分の間に到達した水温が設定点をどれだけ超えたかによって決まる。
・Ａ．４．２．３  水温が高くなりすぎた場合、最適化はバイパスされる。
例Ａ．５：ヒートポンプの最適化
【０１５９】
使用される入力／出力は、１つの温度基準、４つのデジタル入力（サーモスタットステージ１、サーモスタットステージ２、サーモスタットステージ３、サーモスタットステージ４）、４つのデジタル出力（圧縮機１、圧縮機２、圧縮機３、圧縮機４）、１つアナログ入力、および圧縮機ごとのＣＴ入力である。
【０１６０】
この例についての規則は以下の通りである。
・Ａ．５．２．１  標準オフ時間は１時間当たり４回各圧縮機に適用される。
・Ａ．５．２．２  温度が設定点を下回る場合、オフ時間が短くなる。
・Ａ．５．２．３  温度が設定点を超えて上昇した場合、オフ時間が長くなる。
・Ａ．５．２．４  圧縮機のオフサイクルは、圧縮機の運転時間のバランスを取るために圧縮機間で回される。
例Ａ．６：３段階最適化
【０１６１】
使用される入力／出力は、１つの温度基準、３つのデジタル入力、および３つのデジタル出力である。
【０１６２】
この例についての規則は以下の通りである。
・Ａ．６．２．１  入力１および３がオンであるとき、出力１は入力３がオフになるまでオンになる。
・Ａ．６．２．２  入力２および３がオンであるとき、出力２は入力３がオフになるまでオンになる。
・Ａ．６．２．３  すべての入力がオンであるとき、出力３は入力３がオフになるまでオンになる。
例Ａ．７：インバータの最適化
【０１６３】
使用される入力／出力は、１つの温度基準、１つのＣＴ入力、１つのデジタル入力、および３つのデジタル出力である。
【０１６４】
この例についての規則は以下の通りである。
・Ａ．７．２．１  電流消費量が８０〜１００％の間であるとき、２０分後に出力３は７分間オンになる。
・Ａ．７．２．２  電流消費量が５０〜７９％の間であるとき、２０分後に出力２は８分間オンになる。
・Ａ．７．２．３  電流消費量が１０〜４９％の間であるとき、２０分後に出力１は８分間オンになる。
結論
【０１６５】
コントローラ１００は、以下を含むいくつかの理由により、従来技術よりも有利である。
・コントローラの修正および再較正があらゆるタイプのＨＶＡＣＲシステムに適合することを可能にする。上述したように、この種の修正は、通常、非常に特殊なサードパーティシステムおよびソリューションを必要とし、これは、ユニット自体で、３Ｇモデムリンクを介して、またはサードパーティインターフェースを介して行われるはずである。
・ＨＶＡＣＲシステムの設計は全く変更されない。コントローラ１００は、エネルギー節約を最大化するために、システムの機能を変更するだけである。
・ユニットを任意の他の資産との間で再配置し、そのユニットになるようにセットアップすることができる。
・電力を節約するために機能するように本質的に「学習する」自動化された自己改良型の直感的なシステム。
・ユニットは、ＨＶＡＣＲシステムを実行するために必要な電力を削減し、大幅なエネルギー節約をもたらす。
・本明細書に記載された２ステップの「コイル処理」ととともに使用されると、結果として得られるエネルギー節約は、ユニットおよび独立して動作する「コイル処理」のための節約の合計よりもさらに大きい。
・比較的小さいユニットのサイズ、特に比較的小さい設置面積。
・それは特定の非電子ソリューションと連携して動作するように設計されている。
【０１６６】
制御、監視、管理、および報告の領域で複数の機能を実行するために使用できるシステムは多数存在するが、本明細書に記載されたデバイスおよびシステムが行うように、資産および他のインテリジェントシステムのこのレベルの動作を提供することが可能な単一デバイスは存在しない。
【０１６７】
そのサイズとは別に、当社のソリューションのいずれかを単一のユニット内で動作させるその特別な構成可能性、ならびにすべての様々な資産上の様々な機能および動作をすべて実行する最大２５０のスレーブユニットをコントローラ１００が動作させる能力、なら
びに１つのユニットから任意のサードパーティシステムすべてに高いレベルでインターフェース接続するその能力は、それを非常にユニークにする。
【０１６８】
コントローラ１００は、多くのシステムおよび１つのシステム内のソリューションになるという、システム内の完全な柔軟性を提供する。
【０１６９】
既存のオプティマイザシステムは、オプティマイザの実行能力に影響を与える、蒸発器または冷却／加熱コイルなどの空調または冷凍システムの他の必須部分の機能性およびそれらの効率を評価することができない。前述されたように、サードパーティがこれを行う必要がある場合、この機能を実行するために別のコントローラをインストールする必要がある。
【０１７０】
１、２、４、および８の圧縮機システムおよび冷凍機システムなどの様々な資産の最適化は、そうでない場合非常に異なるオプティマイザを必要とするはずである。コントローラ１００は、これらのソリューションのすべてを１つのシステムで最適化することができる。それは、ある技術から他の技術のいずれかに再配置することもでき、関連するプログラムはその技術上で動作するように選択される。
【０１７１】
コントローラ１００に必要な物理的パラメータは以下の通りである。
・現世代の技術を超える拡張可能
・設計および拡張性におけるモジュール式
・必要な場合資産レベルまで下がる世界中の任意の施設でアクセス可能
・ソフトウェアおよび機能がｌｏＴを介して変化する
・小さい設置面積（小型化）
・（化学的処理などの）他の製品と連携して動作してさらに効率を上げる
解釈
【０１７２】
本明細書全体を通して、「要素」という用語の使用は、単一の構成要素または特定の機能もしくは目的を実行するために結合する構成要素の集合のいずれかを意味するものである。
【０１７３】
特に断りのない限り、以下の説明から明らかなように、本明細書全体にわたって、「処理」、「計算」、「算出」、「決定」、「分析」などの用語を利用する説明は、電子量などの物理量として表されるデータを同様に物理量として表される他のデータに操作および／または変換する、コンピュータもしくはコンピュータシステムまたは同様の電子計算装置のアクションおよび／またはプロセスを参照する。
【０１７４】
同様に、「コントローラ」または「プロセッサ」という用語は、電子データを、たとえばレジスタおよび／またはメモリから処理して、たとえば、レジスタおよび／またはメモリに記憶されてもよい他の電子データにその電子データを変換する任意のデバイスまたはデバイスの部分を指してもよい。「コンピュータ」または「コンピューティングマシン」または「コンピューティングプラットフォーム」は、１つまたは複数のプロセッサを含んでもよい。
【０１７５】
本明細書に記載された方法は、一実施形態では、１つまたは複数のプロセッサによって実行されると、本明細書に記載された方法のうちの少なくとも１つを実行する一組の命令を含む、コンピュータ可読（マシン可読とも呼ばれる）コードを受け入れる１つまたは複数のプロセッサによって実行可能である。取られるべきアクションを指定する一組の命令（順次またはその他）を実行することが可能な任意のプロセッサが含まれる。したがって、１つの例は、１つまたは複数のプロセッサを含む典型的な処理システムである。各プロ
セッサは、ＣＰＵ、グラフィックス処理ユニット、およびプログラマブルＤＳＰユニットのうちの１つまたは複数を含んでもよい。処理システムはさらに、メインＲＡＭおよび／もしくはスタティックＲＡＭ、ならびに／またはＲＯＭを含むメモリサブシステムを含んでもよい。バスサブシステムは、構成要素間の通信用に含まれてもよい。処理システムはさらに、ネットワークによって結合されたプロセッサを有する分散処理システムであってもよい。処理システムがディスプレイを必要とする場合、そのようなディスプレイには、たとえば、液晶ディスプレイ（ＬＣＤ）または陰極線管（ＣＲＴ）ディスプレイが含まれてもよい。手動データ入力が必要な場合、処理システムはまた、キーボードなどの英数字入力ユニット、マウスなどのポインティング制御デバイスなどのうちの１つまたは複数などの入力デバイスを含む。本明細書で使用されるメモリユニットという用語は、文脈から明らかであり、特に明記しない限り、ディスクドライブユニットなどのストレージシステムも包含する。いくつかの構成における処理システムは、音声出力デバイス、およびネットワークインターフェースデバイスを含んでもよい。したがって、メモリサブシステムは、１つまたは複数のプロセッサによって実行されると、本明細書に記載された方法のうちの１つまたは複数を実行させる一組の命令を含む、コンピュータ可読コード（たとえば、ソフトウェア）を搬送するコンピュータ可読キャリア媒体を含む。方法がいくつかの要素、たとえば、いくつかのステップを含むとき、具体的に述べられていない限り、そのような要素の順序付けは暗示されないことに留意されたい。ソフトウェアは、ハードディスク内に存在してもよく、コンピュータシステムによってその実行中にＲＡＭ内および／またはプロセッサ内に、完全にまたは少なくとも部分的に存在してもよい。したがって、メモリおよびプロセッサはまた、コンピュータ可読コードを搬送するコンピュータ可読キャリア媒体を構成する。
【０１７６】
本明細書全体を通して、「一実施形態」、「いくつかの実施形態」、または「実施形態」への参照は、実施形態に関連して記載される特定の特徴、構造、または特性が本開示の少なくとも１つの実施形態に含まれることを意味する。したがって、本明細書全体を通して様々な箇所における、「一実施形態では」、「いくつかの実施形態では」、または「実施形態では」という表現の出現は、必ずしもすべて同じ実施形態を参照しているわけではない。さらに、特定の特徴、構造、または特性は、１つまたは複数の実施形態において、本開示から当業者に明らかなはずであるように、任意の適切な方式で組み合わされてもよい。
【０１７７】
本明細書で使用されるように、他に特に指定されない限り、共通オブジェクトを記述するための順序を表す形容詞「第１」、「第２」、「第３」などの使用は、同様のオブジェクトの異なるインスタンスが参照されていることを示すにすぎず、そのように記述されたオブジェクトが、時間的、空間的、順位付け、または任意の他の方式で、所与の順番になければならないことを意味するものではない。
【０１７８】
以下の特許請求の範囲および本明細書の説明では、備える、構成される、または備えるものという用語のいずれも、少なくともそれに続く要素／特徴を含むが他のものを排除しないことを意味する開放型用語である。したがって、特許請求の範囲に使用されるとき、用語「備える」は、その後に列挙された手段または要素またはステップを限定するものとして解釈されるべきではない。たとえば、ＡおよびＢを備えるデバイスという表現の範囲は、要素ＡおよびＢのみからなるデバイスに限定されるべきではない。本明細書で使用されるような、含むまたは含むものまたは含むことという用語のいずれも、少なくともその用語に続く要素／特徴を含み、他を除外しないことを意味する開放型用語である。したがって、含むは備えると同義語であり、備えるを意味する。
【０１７９】
本開示の例示的な実施形態の上記の説明では、本開示を簡素化し、様々な本発明の態様のうちの１つまたは複数の理解を助ける目的で、本開示の様々な特徴が、単一の実施形態
、図、またはその説明において一緒にグループ化されるときがあることを諒解されたい。しかしながら、この開示の方法は、各請求項に明示的に記載されているよりも多くの特徴を特許請求の範囲が必要とする意図を反映するものとして解釈されるべきではない。むしろ、以下の特許請求の範囲が反映するように、本発明の態様は、単一の前述の開示された実施形態のすべての特徴よりも少ないものである。したがって、発明を実施するための形態に続く特許請求の範囲は、本明細書によりこの発明を実施するための形態に明示的に組み込まれ、各請求項は、本開示の別個の実施形態として自立している。
【０１８０】
さらに、本明細書に記載されたいくつかの実施形態は、他の実施形態に含まれる他の特徴ではないいくつかを含み、様々な実施形態の特徴の組合せは、当業者によって理解されるように、本開示の範囲内であることを意味し、様々な実施形態を形成する。たとえば、以下の特許請求の範囲において、特許請求された実施形態のいずれも、任意の組合せで使用することができる。
【０１８１】
本明細書で提供された説明では、多くの具体的な詳細が述べられている。しかしながら、本開示の実施形態は、これらの具体的な詳細なしに実践されてもよいことが理解される。他の例では、周知の方法、構造、および技法は、この説明の理解を不明瞭にしないために詳細に示されていない。
【０１８２】
同様に、「結合された」という用語は、特許請求の範囲で使用されると、直接的な接続のみに限定されると解釈されるべきではないことに留意されたい。それらの派生語とともに「結合された」および「接続された」という用語が使用されてもよい。これらの用語は、互いの同義語として意図されていないことを理解されたい。したがって、デバイスＢに結合されたデバイスＡの表現の範囲は、デバイスＡの出力がデバイスＢの入力に直接接続されるデバイスまたはシステムに限定されるべきではない。それは、Ａの出力とＢの入力との間に経路が存在することを意味し、その経路は他のデバイスまたは手段を含む経路であってもよい。「結合された」は、２つ以上の要素が物理的、電気的、もしくは光学的に直接接触しているか、または２つ以上の要素が互いに直接接触していないが、それでもまだ互いに協働または相互作用していることを意味する。
【０１８３】
したがって、本開示の好ましい実施形態であると信じられるものが記載されているが、当業者なら、本開示の趣旨から逸脱することなくそれに対して他のさらなる修正が行われてもよく、すべてのそのような変更および修正が本開示の範囲内に入ることを主張するものであることを認識されよう。たとえば、上記に与えられた任意の式は、使用され得る手順の代表にすぎない。機能はブロック図に追加されるか、またはブロック図から削除されてもよく、動作は機能ブロック間で交換されてもよい。ステップは、本開示の範囲内で記載された方法に追加または削除されてもよい。
【図１Ａ】
2019518192.tif 000004
【図１Ｂ】
2019518192.tif 000005
【図２】
2019518192.tif 000006
【図３】
2019518192.tif 000007
【図４】
2019518192.tif 000008
【国際調査報告】
2019518192.tif 000009
2019518192.tif 000010
2019518192.tif 000011
2019518192.tif 000012
2019518192.tif 000013
2019518192.tif 000014